(57)【要約】【課題】パチンコ機等には外部電源が与えられた状態で扉スイッチの状態により、扉が開かれた事を音声、光等で報知する警報器が用いられているが、従来機能に加え、電源が入っていない夜間での扉を開いての不正行為も確実、簡単に検知する扉開閉検出器が求められていた。  また、機能追加しても取扱が煩雑にならない動作方法と、実用性を高める小型、安価な扉開閉検出器が求められていた。【解決手段】従来の警報器をそのまま利用し、付加するする形で、外部電源で充電される内部電源を作り、外部電源が無い時に扉が開いた事を記憶できる記憶素子と、記憶素子の記憶に基づき外部電源がオンされた後に扉が閉じていても、扉が開いたと同じ作用をする擬似扉スイッチを設け、従来の警報器に信号を出せる様に構成したことから、小型、安価とすることが可能となった。  また、信号を一定時間で自動解除したり、使い易い表示機能を設けたことで操作性を向上させた。【選択図】図２
2008068045.tif 000002
【特許請求の範囲】
【請求項１】
外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器。
【請求項２】
請求項１であって、
外部電源が与えられ警報を発する場合に、外部電源投入から擬似扉スイッチが作動するまでに、定められた待機時間が設けられている事を特徴とする扉開閉検出器。
【請求項３】
請求項２であって、
作動させられた擬似扉スイッチの作動を、定められた時間の後に自動的に停止する機能を有する事を特徴とする扉開閉検出器。
【請求項４】
請求項３であって、
擬似扉スイッチの作動が停止した後も、擬似扉スイッチが作動する出来事が有った事を知らせる扉開放記憶表示器を有している事を特徴とする扉開閉検出器。
【請求項５】
請求項４であって、
扉開閉記憶表示器の表示が、外部電源を断にした後、再度外部電源を投入することでオフになることを特徴とする扉開閉検出器。
【請求項６】
請求項１であって、
内部電源と、記憶素子と、擬似扉スイッチとを扉スイッチの筐体内に収容し扉スイッチ自体で扉開閉検出器が構成できるようにしたことを特徴とする扉開閉検出器。
【発明の詳細な説明】
【技術分野】
【０００１】  本発明は、防犯機器、特にはパチンコ遊技機、スロット機の用途分野に関連する。
【背景技術】
【０００２】  パチンコ機への利用を代表として記載する。パチンコ機では、遊技中に遊技者がパチンコ機の扉を開いて、球を入賞口へ入れる不正を防ぐ事を目的に、扉が開かれるとパチンコ店の従業員に知らせるランプ表示、音声案内の機能が監督官庁の指導のもと、全てのパチンコ機個々に備えられている。よって、従業員や多くの遊技者が居る営業時間中の扉を開いての不正行為はほぼ防止できている。【０００３】が、夜間の扉を開いての不正行為に対しては、店舗全体の防犯システム、例えば監視カメラ等に依存している。これもおおいに進歩して、防犯に成果を上げているが、全体を監視する方法は盲点も出やすく狙われる心配がある。そこで、本発明は、パチンコ機一台、一台の電源がオフにされている夜間でも扉が開かれた事を記憶し、翌日の営業時に電源を入れると異常が有れば、警報を発する事で犯罪を軽減するものである。夜間の不正は昼間の不正に比べ悪質のレベルが大きい為、効用が大きい。夜間で説明しているが、電源が入っていない状態とは、輸送中の防犯にも効果が有る事も意味するものである。
【発明の開示】
【発明が解決しようとする課題】
【０００４】
【０００５】  本発明が解決しようとする課題は、［背景技術］でも述べたように
（１）昼間だけでなく、電源の入っていない夜間でも扉開閉による不正を防止すること。
（２）機能追加による取扱の煩雑さを軽減すること。
（３）昼間用、夜間用を一体にして安価な扉開閉検出器を提供すること。
上記（１）（２）（３）が、解決しようとする課題である。
【課題を解決する為の手段】
【０００６】  請求項１の扉開閉検出器は、外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器であることから、従来の昼間の扉を開いての行為を監視するのみならず、夜間の扉を開いての行為に対しても警報を発して不正の防止が行えると言う、課題（１）の効果がある。
【０００７】  請求項２の扉開閉検出器は、外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器であって、外部電源が与えられ警報を発する場合に、外部電源投入から擬似扉スイッチが作動するまでに、定められた待機時間が設けられている事を特徴とする扉開閉検出器であることから、警報基板（パチンコ機では主基板に相当）が外部電源の投入で起動し、安定な動作に入るまでの時間を心配する事無く利用できる。また、外部電源の投入は１台、１台のパチンコ機を順次投入するわけではなく、複数台ずつを短時間の間に投入する、すなわち、投入作業中に直ちに警報が出ると、投入作業と監視作業を同時に行う事となり、判断し難いと言う問題があるが、投入後、数十秒程〜数分程後に異常が有る物は警報を発するから判断が行い易くなり、課題（２）の効果がある。
【０００８】  請求項３の扉開閉検出器は、外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器であって、外部電源が与えられ警報を発する場合に、外部電源投入から擬似扉スイッチが作動するまでに、定められた待機時間が設けられている事を特徴とし、かつ、作動させられた擬似扉スイッチの作動を、定められた時間の後に自動的に停止する機能を有する事を特徴とする扉開閉検出器であるから、パチンコ店で開店時に複数台で警報が出るような事態であっても、異常台のナンバ−を記録して、後で落ち着いて処置が可能であり、課題（２）の効果がある。
【０００９】  請求項４の扉開閉検出器は、外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器であって、外部電源が与えられ警報を発する場合に、外部電源投入から擬似扉スイッチが作動するまでに、定められた待機時間が設けられている事を特徴とし、かつ、作動させられた擬似扉スイッチの作動を、定められた時間の後に自動的に停止する機能を有し、かつ、擬似扉スイッチの作動が停止した後も、擬似扉スイッチが作動する出来事が有った事を知らせる扉開放記憶表示器を有している事を特徴とする扉開閉検出器である事から、警報が出るような事態で、警報が自動的に消えた後も異常が有った事が明確に判り、処置が行い易く、課題（２）の効果がある。
【００１０】  請求項５の扉開閉検出器は、外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器であって、外部電源が与えられ警報を発する場合に、外部電源投入から擬似扉スイッチが作動するまでに、定められた待機時間が設けられている事を特徴とし、かつ、作動させられた擬似扉スイッチの作動を、定められた時間の後に自動的に停止する機能を有し、かつ、擬似扉スイッチの作動が停止した後も、擬似扉スイッチが作動する出来事が有った事を知らせる扉開放記憶表示器を有している事を特徴し、かつ扉開閉記憶表示器の表示が、外部電源を断にした後、再度外部電源を投入するとオフになることを特徴とする扉開閉検出器であることから、異常を発見し、処置した後には営業を行うことが出来、課題（２）の効果がある。
【００１１】  請求項６の扉開閉検出器は、外部電源が与えられた状態で扉スイッチの状態により、扉が開かれた事を音声、光等で報知する警報器に用いられ、外部電源が与えられていない状態で扉が開かれた事を記憶し、外部電源が与えられた後に警報を発する事を可能とするために、内部電源と、記憶素子と、擬似扉スイッチを有している事を特徴とする扉開閉検出器であって、内部電源と、記憶素子と、擬似扉スイッチとを扉スイッチの筐体内に収容し扉スイッチ自体で扉開閉検出器が構成できるようにしたことを特徴とする扉開閉検出器であることから、小型になるだけでなく、安価となり、課題（３）の効果がある。
【発明を実施する為の最良の形態】
【００１２】  図１は本発明の背景である、従来の扉開閉警報器の構成例である。（ａ）は扉スイッチが常閉（扉が閉じている時は接点が閉じている使い方）で、（ｂ）は扉スイッチが常開（扉が閉じている時は接点が開している使い方）での事例である。図２は第一実施例の回路図である。図３は第二実施例の回路図である。図４は第三実施例の回路図である。図５は本発明の扉開閉検出器の動作を説明する為のフロ−チャ−ト図である。
【００１３】  さて、図１で従来の扉開閉警報器の構成と動作を説明する。（ａ）は常閉の扉スイッチを用いる例で、１は外部電源であり、通常、直流の１２Ｖである。２は中継基板であり、２極のコネクタ−３と４が取り付けられており、外部電源１からは、コネクタ−の極３−１、４−１を通り、常閉の扉スイッチ５の接点を介して、コネクタ−の極、４−２、３−２、抵抗７を経て基準電位点（グランドとも言う）８に結ばれている。抵抗７の電位はコンパレ−タ−９で検出され処理器１０で外部の表示器１１、音声出力器１２を作動させる。なお、抵抗７、コンパレ−タ−９、処理器１０を含む基板は警報基板６であり、パチンコ機では通常主基板の一部として構成され、密閉ケ−スに入れられて改造防止がされている。動作は、扉が閉じていて、扉スイッチが閉なら、抵抗７には電位がハイ（１２Ｖの数値が重要でなく、電位のロ−かハイが問題）で表示器１１、音声出力器１２には出力は無い。今、扉が開かれ、扉スイッチ５が開すれば、抵抗７には電流が流れず、その電位はロ−（０Ｖ）となり、コンパレ−タ−９、処理器１０を介しての出力で表示器１１、音声出力器１２の出力で警報が出る。
【００１４】  図１（ｂ）は扉スイッチ１７が常開の従来例であり、１は外部電源であり、通常直流の１２Ｖである。２は中継基板であり、２極のコネクタ−３と４が取り付けられており、外部電源１からは、警報基板１４内のホトカプラ−１５の発光ダイオ−ド及び抵抗１６を介し、コネクタ−の極３−１、４−１を通り、常開の扉スイッチ１７の接点を介して、コネクタの極、４−２、３−２、を経て基準電位点８に結ばれている。扉が閉じていて、扉スイッチが開なら、ホトカプラ−の発光ダイオ−ドには電流は流れず、ホトカプラ−のトランジスタ−はオフであり、図示されていない処理器で表示器１１、音声出力器１２が駆動される事はない。今、扉が開かれ、扉スイッチ１７が閉すれば、発光ダイオ−ドに電流が流れ、トランジスタ−をオンにし、図示されていない処理器により表示器１１、音声出力器１２の出力で警報が出る。
【００１５】  図１の（ａ）と（ｂ）は機能としては同じであり、双方が扉開閉警報器として用いられている為、本発明の実施例も双方に対応する事例として後述するが、不正行為に対する耐性の点では（ａ）の方が配線を切断される不正行為を発見できる点で優れる。両事例で中継基板２が用いられているのはパチンコ機を作る時、点検保守をする時に利点があるからであり、必須の物ではない、図中、符号１３は中継基板削除時ラインであり、中継基板を廃し、扉スイッチに直接接続できることをしめす。また、後述する本発明でも中継基板上に構成できるだけでなく、扉スイッチ内に一体的に構成できることを示す為のラインである。
【００１６】  次に、本発明の実施例の構成と動作を説明する。本発明は従来の扉開閉警報器への付加機能である事から、同一部分は図１の従来品と同一符号で説明すると共に、第二、第三の実施例に対しても同一部分は同一符号で説明し簡単化に努める。
図２の第一実施例では、中継基板２に３極のコネクタ−１８と２極のコネクタ−４が設けられている。外部電源１からはコネクタ−１８の極１８−１を通り、擬似扉スイッチ２７であるリレ−の接点２７−ａを通り、コネクタ−４の極４−１、扉スイッチ５の両接点コネクタ−４の極４−２を介し、コネクタ−１８の極１８−２を通り、警報基板６が結ばれている。（以後、コネクタ−の極の説明は同一図面内の説明中は１８−１，４−１等と省略する）
【００１７】  極１８−１からはダイオ−ド１９が電源ＩＣ２０に入力を与える結線がされ、電源ＩＣ２０の出力はコンデンサ−２１へ結ばれ、電源ＩＣのグランド端子は極１８−３を介し、基準電位点８に結ばれる。コンデンサ−２１は逆流防止ダイオ−ド２２を介してコンデンサ−２３に結ばれる。
コンデンサ−２１は外部電源１がオフになれば電荷が消滅し、実質的に外部電源と同じであり、コンデンサ−２３は電気二重奏層コンデンサ−等の小型大容量の物であり、外部電源がオフになった後１日以上回路に電源を供給する内部電源である。勿論、内部電源はコンデンサ−でなく充電可能な二次電池であっても良い。
【００１８】  極１８−１からは擬似扉スイッチ２７であるリレ−のコイル２７−ｂ、抵抗２８、緑ＬＥＤ２９、トランジスタ−３０のコレクタ、エミッタ−が極１８−３間に結ばれると共に、極１８−１から抵抗３１、抵抗３２を介し前記トランジスタ−３０のベ−スへと結ばれる。外部電源が与えられている時にはトランジスタ−３０には抵抗３１，３２からベ−ス電流が流れるため、同トランジスタ−はオンし、リレ−のコイル電流が流れ、緑ＬＥＤは点灯する。勿論、リレ−接点２７−ａは閉する。
リレ−接点２７−ａと扉スイッチ５は直列の配置のため、後述する制御で扉スイッチが閉であっても、リレー接点２７−ａで扉が開いたと扱えるため、名称を擬似扉スイッチとした。
ここで、リレ−接点こそが擬似扉スイッチであるが、リレ−接点を含むリレ−が一個の部品であるため、リレ−を擬似扉スイッチとも言う。これは、後述するホトカプラ−に対しても同様に扱う。
【００１９】  次に、記憶素子であるマイクロコンピュ−タ−（以後マイコンと言う）２４の接続を説明する。電源入力端子２４−ａは内部電源であるコンデンサ−２３に結ばれ、外部電源がオフの時も作動する。グランド端子２４−ｂは極１８−３へ結ばれ、出力端子２４−ｅは抵抗３４を介しトランジスタ−３３のベ−スに結ばれ、同トランジスタ−のコレクタは前記抵抗３１，３２の中間点に結ばれ、同エミツタ−は極１８−３へ結ばれ、出力端子２４−ｅがハイの時にはトランジスタ−３３をオンにする事でトランジスタ−３０をオフにして、リレ−をオフにする。すなわち擬似扉スイッチを駆動する。出力端子２４−ｆには外部電源と同等である電源ＩＣ２０の出力端子から抵抗３５を介して扉開放記憶表示器である赤ＬＥＤ３６が結ばれ、出力端子２４−ｆがロ−の時に点灯するようにされている。また、発振用端子２４−ｃと２４−ｄには発振子２５とコンデンサ−２６が結ばれている。発振子は３２．７６８ＫＨｚの時計用が消費電流が少なく好適である。
【００２０】  入力端子２４−ｇには外部電源とグランド間に配置された抵抗３８と３７の中間の電圧が入力される、その電圧は外部電源が無い時は、０Ｖでロ−、有る時はマイコン２４の電源電圧の１／２以上の値でハイの電位である。なお、２４−ｇは入力端子であると共に、入力変化時の割込み受付端子でもある。
【００２１】  入力端子２４−ｈは内部電源であるコンデンサ−２３からの抵抗３９ダイオ−ド４０のアノード、同カソ−ドがリレ−接点２７−ａと扉スイッチ５の間に結ばれる回路の抵抗３９とダイオ−ド４０の間が結ばれる。なお、２４−ｈも入力端子であると共に、入力変化時の割込み受付端子でもある。このように入力端子の信号の変化がソフトの割込み動作をさせるマイコンは種種有るが、事例としてはマイクロチップ社のＰＩＣ１６Ｆ８４Ａ等がある。
【００２２】  次に、その動作を説明する。動作説明は後に図５のフロ−チャ−トで詳しく説明するが、回路図に基づく説明も重要である。マイコンへの入力は２種類で２４−ｇに外部電源の有無がロ−、ハイで区分される。２４−ｈには扉が開いたか否かが、区分され入力される。抵抗３９に対して警報基板６内の抵抗７の値が十分小さいなら、外部電源がオフの時は、扉スイッチ５が閉している時はロ−であり、扉が開き、扉スイッチ５が開ならハイになる。この外部電源がオフの時、リレ−接点２７−ａは開であるから、極１８−１を通しての影響は考慮する必要が無い。外部電源がオンされている時は、リレ−接点２７−ａがオン状態ならば、扉スイッチ５の開閉に関係せずハイである。開は当然として、閉でも外部電源が抵抗７に十分電流を流しハイにしているからである。ただ、外部電源がオンしていてもリレ−接点２７−ａが開している時は、扉スイッチが閉ならばローに、開ならばハイになる。
【００２３】  本発明は外部電源がオフで扉スイッチ５が開した事を記憶する事に始まる。すなわち、２４−ｇロ−で、２４−ｈがハイを検出して記憶素子であるマイコン２４内のメモリ−に記憶することが第一である。記憶を作る、残すにはマイコンの消費電力をいかに少なくするかが重要であり、１日以上の外部電源がオフの間、何時、扉が開かれる不明で、かつ、開けられて記憶を確実に残すには、本実施例では２種類の入力端子の双方を入力変化で割込みが発生する端子を利用することで解決している。その概要は外部電源がオンからオフ又はオフからオンに変化した時のみ、および、扉開閉変化の有った時すなわち２４−ｈがロ−からハイ又はハイからロ−に変化した時のみ短い作業プログラムを実行させ、それ以外の時間はスリ−プモ−ド（待機状態）としている。スリ−プモ−ドでは発振も休止し消費電流は１μＡ程と極めて少なくできる。
【００２４】  次に、外部電源がオンされたとする、記憶素子に扉開の情報が無い時はマイコン２４の出力端子２４−ｆはハイで２４−ｅはロ−で扉開放記憶表示器である赤ＬＥＤ３６は消灯であり、トランジスタ−３３がオンしないのでトランジスタ−３０はオンであり、擬似扉スイッチであるリレ−接点２７−ａは閉している。その状態を示す緑ＬＥＤも点灯している。閉した状態のリレー接点２７−ａは電線と同じであるから、外部電源１、コネクタ１８の１８−１、１８−２、コネクタ４、扉スイッチ５、警報基板６の状態は図１の（ａ）と全く同じである。すなわち、従来の扉開閉警報器の機能がそのまま作用する。
【００２５】  次に、記憶素子であるマイコン２４に記憶が有ったとする。入力端子２４−ｇが外部電源がオンする事で変化しプログラムが走行し始め、出力端子２４−ｅをハイにし、トランジスタ−３３をオンさせトランジスタ−３０をオフさせる。結果、緑ＬＥＤは消灯で擬似扉スイッチであるリレ−２７は不作動で接点２７−ａは開となり、扉スイッチ５が閉のまま、すなわち、パチンコ機の扉は開かれていないのに、警報基板６に開の信号を出し、表示器１１、音声出力器１２を駆動する。以上が請求項１に記載した動作である。
【００２６】  ただし、警報基板６等は外部電源のオンで直ちに作動するのでは無く、自身の状態が正常か否かをチェックする等の一連の作業を行う、よって、警報基板に異常を知らせるには外部電源がオンしてから確実に情報を渡すに十分な待機時間を持たせる事が重要と成る。
待機時間は作業する人間にとっても重要である。何百台というパチンコ機に電源を投入し営業状態にするには、数台毎を一グル−プとして電源投入を行う。確認が確実に行え作業能率も良くすら為には待機時間は数十秒〜数分以内が望ましい。
【００２７】  擬似扉スイッチの作動で異常を知らせてくれる機能は有用であるが、上記したように何百台ものパチンコ機を取り扱う上で、異常報知状態を解除する作業が煩雑であっては実用上問題がある。出力端子２４−ｅは定められた時間の後自動的にロ−になり、機能が終了するようにも作られる。その時間は数分から数十分が望ましい。
【００２８】  上述のように、自動的に異常報知状態を解除する場合、出力端子２４−ｆがロ−の間扉開放記憶表示器である赤ＬＥＤ３６を点灯する機能が有用である。この赤ＬＥＤが有ればメモ等他の記録が必要でなくなるメリットは大きい。
【００２９】  上記扉開放記憶表示器は有用であるが、不正な扉の開放が有っても調査の結果、何ら害が無い場合は消す必要がある、後述するフロ−チャ−トでは、一度外部電源をオフにし、再度外部電源をオンにすれば消せる事例が述べられている。この時、注意を必要とすることは、パチンコ機の場合、外部電源のオン、オフを行うには扉を開けた状態で作業するため、外部電源をオフにすると、異常として記憶されることである。そのため、扉が開いていても、手で扉スイッチを閉にしながら、外部電源のオフ、オンをする必要がある。
【００３０】  不正防止でありながら、記憶を消す手段が電源の再投入では心配と言う場合は、マイコン２４の未使用の入力端子にテンキ−スイッチを付け、記憶もＥＥＰＲＯＭに書込み、テンキ−スイッチで正しい暗証番号を入力しないと記憶を消せなくする技術がある。
【００３１】  以上説明は、中継基板２の中に多くの部材が含まれている状態で説明をしたが、近年、全ての部材が極めて小型になったことから、符号１３の中継基板削除時ラインで見直すと、扉スイッチ５の容器の中に全てを含ませる事が可能であり、外部には極１８−１、１８−２、１８−３が３本の端子として出ている姿になることが判る。すなわち、本発明の扉開閉検出器は外観的には２本の端子か、３本の端子かの差の扉スイッチにさせうることが判る。
【００３２】  次に、図３で第二の実施例の説明を行う、図２の実施例がマイコンを用いた事例に対して全てをハ−ドで構成した例である。種種の変更には自由度が少ないが、大量に同一品を作る場合には安価、小型化でメリットが多い。なを、図２と共通の説明は極力簡単にする。
【００３３】  符号４０番までの部品及び構成は図２と同一である。電源部には符号Ｖ１とＶ２が新たに記載されているが、Ｖ１は外部電源１がオンしている時に使える電源、Ｖ２は内部電源で外部電源が無くなっても使える電源を示し、内部電源だけで、いかに長時間作動させるかを示すことに用いる。擬似扉スイッチ４１にはホトカプラ−がリレ−に代わり用いられており、リレ−のコイルは発光ダイオ−ド４１−ｂに、リレ−接点はトランジスタ−４１−ａに代わっている。トランジスタ−４１−ａはオフ時に望ましい絶縁体とは言えないので逆流防止ダイオ−ド４２が直列に入れられている。
【００３４】  抵抗３７と３８の中間点の電位、すなわち、外部電源有りや否やの信号がインバ−タ−４３に入力され、その出力はアンド回路４４の一方の入力に結ばれる。扉の開閉状態を検知する抵抗３９とダイオ−ド４０の中間点からはアンド回路４４の他方の入力へ結ばれている。結果、アンド回路４４の出力は外部電源が無くて、扉が開いた時にのみハイの出力を出す。その出力は抵抗４５、コンデンサ−４６の遅延回路を介してフリップフロップ４７のセット端子Ｓに結ばれており、外部電源がオフの状態で扉が開かれた事を記憶する。なお、フリップフロップ４７が記憶素子である。
【００３５】  上述の記憶素子に情報を記憶するまでの動作は外部電源がオフの期間の動作のため、各々の部品は内部電源で作動させ、記号Ｖ２で電源供給を示す。
アンド回路４４でフリップフロップ４７を直接作動させず、抵抗４５、コンデンサ−４６の遅延回路を介する理由はノイズ等の一瞬の信号で記憶させるのは、信頼性が低くなるからである。
【００３６】  次に、外部電源１がオンしたとする。アンド回路４９の一方の入力には抵抗３７、３８の中間点の電位が与えられ、他方の入力にはフリップフロップ４７の出力Ｑが与えられているため、Ｑがロ−であればその出力はロ−であり、ハイであればその出力はハイである。
【００３７】  ロ−であれば、カウンタ−５０のクリヤ−端子ＣＬＲにロ−が入っている事から、カウンタ−の出力ＯＵＴ１、ＯＵＴ２はロ−であり、トランジスタ−３３はオフであり、結果、トランジスタ３０はオンであり、発光ダイオ−ド４１−ｂが光を出し、トランジスタ−４１−ａはオンである。トランジスタ−４１−ａは電線と同じで擬似扉スイッチが無いと同じ状態の図１に示した従来の扉開閉警報器のままである。また、フリップフロップ４７の出力Ｑを受けているインバ−タ−４８の出力はハイのため、扉開放記憶表示器である赤ＬＥＤ３６は点灯しない。
【００３８】  次に、フリップフロップの出力がハイであったとする。アンド回路４９のハイの出力がカウンタ−５０のクリヤ−端子ＣＬＲをハイにすることから、発信器５１からのパルスを受けカウントを開始する。カウンタ−はＴＣ７４ＨＣ７２９２と同様のものであるが、出力ＯＵＴ１以外に、ＯＵＴ１を二分の一分周した出力ＯＵＴ２を有する点のみが異なる。複数のプリセット端子ＰＲＥＳ１、ＰＲＥＳ２・・・の各々をロ−、ハイに設定する事で望む分周が出来ると共に、クロック入力端子ＣＫ１、ＣＫ２のロ−、ハイ設定でカウントアップ、カウント停止が出来る。カウント開始時、ＯＵＴ１はロ−であり、トランジスタ−３３への作用は上述のＱがロ−の時と同じである。ＯＵＴ２もロ−であり、ＣＫ２端子に結ばれているため、カウントアップが可能である。カウントが進み、一分後にＯＵＴ１がハイに成ったとする。
【００３９】  ＯＵＴ１がハイになれば、トランジスタ−３３がオンする。トランジスタ−３０のベ−ス電流が流れなくなり、擬似扉スイッチであるホトカプラ−４１はオフになる。扉スイッチ５と直列配置であることから、パチンコ機の扉が閉じて、扉スイッチ５も閉であっても、警報基板６に対して扉が開いているの情報を伝え、表示器１１、音声出力器１２を作動させる。
このＯＵＴ１がハイの時間は１分間継続する。ＯＵＴ１がロ−に成るのと同時にＯＵＴ２がハイになる。ＯＵＴ２はクロック入力端子ＣＫ２に結ばれているため、カウンタ−５０はカウントアップを停止し、その状態を保つ。ＯＵＴ１がロ−に成った時点からトランジスタ−３３、３０の作用で擬似扉スイッチは扉が閉じられたと言う状態に戻る。
【００４０】  ＯＵＴ２の信号とインバ−タ−４３の信号がアンド回路５２に与えられている為、双方がハイに成る条件のＯＵＴ２がハイ、外部電源がオフになった時、出力にハイを出し、フリップフロップ４７をリセットする。すなわち、記憶素子の記憶は外部電源をオフにすることで消される。ここで、コンデンサ−２１の容量の為、外部電源がオフに成ってもＶ１の電源はアンド回路５２を作動できる時間遅れを持つように作られる。
【００４１】  扉開放記憶表示器である赤ＬＥＤ３６はフリップフロップの出力がハイの時は外部電源がオンになると同時に点灯し、オンの時間中は点灯を続け、オフに成る事で消灯すると共に記憶が消される事から、次に外部電源をオンにした時には点灯しない。
【００４２】  以上、マイコンを用いた図２の事例と同様の動作が可能である。ただ、外部電源をオンにしてから擬似扉スイッチが作動するまでの時間、擬似扉スイッチが作動を継続する時間の自由度が少ないと言う欠点はある。勿論、部品点数を多くする構成にし、全体をＩＣ化すれば解消出来る事である。
【００４３】  次に、図４を用いて第三の実施例を説明する。図１（ｂ）の扉スイッチが常開の従来の警報器に対応させる事例であり、マイコンを用いている点で図２の事例に類似している。よって、同一の要素は同一の符号を用い、且つ、説明を簡略にする。
外部電源１からは、コネクタ−１８の極１８−１を介し、ダイオ−ド１９、電源ＩＣ２０、コンデンサ−２１、ダイオ−ド２２、コンデンサ−２３で電源が同様に作られている。また、外部電源１からは警報基板１４を経て極１８−２、逆流防止ダイオ−ド４２、コネクタ４の極４−１、扉スイッチ１７、極４−２、極１８−３、基準電位点８への結線がされており、外部電源１がオンしている時、扉スイッチの開閉は警報基板１４の作用で表示器１１、音声出力器１２で判る様にされている。
【００４４】  極１８−２へは擬似扉スイッチであるトランジスタ−５３のコレクタが結ばれ、同エミッタは極１８−３へ結ばれ、同ベ−スは抵抗５４を介しマイコン２４の出力端子２４−ｅに結ばれる。極１８−１からは抵抗２８、緑ＬＥＤ２９、トランジスタ−３０のコレクタ、エミッタが極１８−３へ結ばれ、トランジスタ−３０のベ−スは抵抗５５を介してトランジスタ−５３のコレクタに結ばれる。上記結線でマイコンの出力端子２４−ｅがロ−であればトランジスタ−５３はオフでトランジスタ−３０はオンとなり、緑ＬＥＤは点灯しているが２４−ｅがハイならトランジスタ−５３がオンで緑ＬＥＤは消灯する。特に、トランジスタ−５３のオンは極１８−２と１８−３をショ−トさせる事で、即ち、扉スイッチ１７が閉した事と同じである。すなわち、扉が閉じた状態でも扉が開いたと言う作用であり、トランジスタ−５３を擬似扉スイッチと言う。
【００４５】  記憶素子であるマイコン２４に対する配線は図２同様である。ただし、入力端子２４−ｈに加えられる信号が、ロ−、ハイ反転しているためソフトで逆として処理する。出力端子２４−ｆに結ばれている扉開放記憶表示器である赤ＬＥＤ３６も図２と同じである。
【００４６】  次に、図５の（ａ）（ｂ）のフロ−チャ−トでプログラムと動作の説明をする。
（ａ）はメインプログラムであり、スタ−トすると、Ｓ１で割込み禁止をし、次のＳ２、Ｓ３での設定を確実に行える環境にする。Ｓ２のマイコンの初期設定ではプルアップ抵抗を使用しない様にする、外付け部品を少なく出来るようにプルアップ抵抗が内蔵されているが消費電流を少なくする場合には使わない設定が望ましい。また、ポ−トの入出力を設定する。マイコンは汎用性を高める為、入出力はソフトで決める、図２では２本を入力に２本を出力と決めている、明細書中に述べたテンキ−スイッチを用いるなら多くのポ−トを入力に設定する。
【００４７】  Ｓ３では出力と変数の初期化を行う。具体的には擬似扉スイッチを作動させる出力のデ−タをオフ側に設定する。また、扉開放記憶表示器を作動させる出力のデ−タをオフにする。
また、外部電源オフ中に扉が開かれた記憶である、開放記憶１をクリヤ−する。また、扉開放記憶表示器を動作させるのに用いる記憶である開放記憶２をクリヤ−する。
【００４８】  次に、Ｓ４で割込みの許可をする。割り込みの種類は種種有るが、この事例ではポ−ト入力変化割込みに対して割込みを許可する。Ｓ５では命令でスリ−プモ−ドに入り、割込み要因の発生を待つ状態となる。スリ−プモ−ド（待機状態とも言う）では、発振も停止し、消費電流を極端に少なくすることが出来、内部電源を電池でなく、廃棄に伴なう公害の心配が無いコンデンサ−で可能としている。
【００４９】  割込み要因は図２では、入力端子２４−ｇが変化する時、すなわち、外部電源１が投入され、ロ−からハイに変化した時と、外部電源が遮断されハイからロ−に変化した時。それと、入力端子２４−ｈが変化する時、扉が閉じられた状態から開かれた時、および、開けられた状態から閉じられた時の４種類の要因で（ｂ）で示す割込み処理を行い、処理後Ｓ５のスリ−プモ−ドへと帰る。
【００５０】  次に、（ｂ）の割込み処理を説明する。Ｓ６ではレジスタ−待避が行われる、これは、（ａ）のメインプログラムで使われていたレジスタ−の内容が割込み処理を実行する事で変化し、復帰後のメインプログラムが影響を受ける害を防ぐ行為である。Ｓ７、Ｓ８は割込み要因が何であるかを判別し、要因に応じて動作を決める。Ｓ７で入力端子２４−ｇがロ−で外部電源は無しと判定されれば、Ｓ８へ行き、扉の状態が判定される。図２の例で２４−ｈがロ−であれば扉は閉と判定されＳ２１へ行き、次の割込みを実行しうる状態にするため、割り込みフラグをクリヤ−する。次に、Ｓ２２へ行き、Ｓ６で待避したレジスタ−を復帰させ、メインプログラムのＳ５へ復帰する。
【００５１】  Ｓ８での判定が扉は開であれば、Ｓ９へ進み開放記憶１と名前を付けられたＲＡＭに１が書き込まれ開放された事が記憶される。勿論、値は１でなくても記憶が無い状態の値以外で区別できれば何であっても良い。記憶は電源が無くなったり、プログラムで簡単に書き換わるＲＡＭではなく、ＥＥＰＲＯＭに書込み、暗証番号等で照合できた時に消せるように変更することも可能である。Ｓ９の後はＳ２１へと進み前述と同じである。
【００５２】  次に、割込みが発生し、Ｓ７で外部電源が有りと判定されたとする。Ｓ１０へ進み、前述した開放記憶１のＲＡＭの内容が判定される。内容が１で扉開放の記憶が有りならば、Ｓ１１で扉開放記憶表示器を点灯させる、図２ではマイコンの出力端子２４−ｆをロ−にして赤ＬＥＤ３６をオンさせる動作である。つぎに、Ｓ１２へ進み待機時間１の動作を行う、具体的には数十秒から数分の待ち時間を作ることである。その待ち時間の後、Ｓ１３で擬似扉スイッチを作動させる。図２では出力端子２４−ｅをハイにして、トランジスタ−３３をオンにし、トランジスタ−３０をオフにし、リレ−２７をオフにし、警報基板６へ知らせる事である。
【００５３】  次に、Ｓ１４で待機時間２の処理が行われる。具体的には数分から数十分の待ち時間を作り、警報基板６による表示器１１、音声出力器１２で異常を確実に知らしめる待ち時間を作ることである。次に、Ｓ１５で擬似扉スイッチを不作動にすると共にＳ１６で開放記憶１のＲＡＭの内容をクリヤ−し消去する。
【００５４】  次に、Ｓ１７で開放記憶２と名前を付けられたＲＡＭに値３を書き込む。開放記憶２とは扉開放記憶表示器を作動させるか否かを判定する情報を記憶する為のＲＡＭである。次に、Ｓ１８で上記ＲＡＭの開放記憶２の内容を１減ずる、Ｓ１９へ進み開放記憶２が０であるか否かを判定する。いまは、０でないので、Ｓ２１、Ｓ２２と進み、割込み動作は終了しメインのＳ５へと復帰する。以上で外部電源が無い状態で扉が開かれた時の記憶に従い、次の外部電源投入で扉が開かれていなくとも擬似扉スイッチの働きで警報基板が警報を発する説明とする。
【００５５】  上記動作中のＳ１３で擬似扉スイッチが作動すると図２のリレ−接点２７−ａが開になるから、扉が閉じており、即ち、扉スイッチ５が閉で抵抗７に電流が流れないから、ダイオ−ド４０のカソ−ドはロ−であり、入力端子２４−ｈはハイ状態からロ−へと変化する。これは割込み要因の発生を意味する。
【００５６】  上記割込み要因により、前述の割込み動作が終了後、再び割込み動作が始まり、Ｓ６、Ｓ７と進み、外部電源が有りだからＳ１０へ進むが前回Ｓ１６で開放記憶１は消去されているため、無しに分岐し、Ｓ１８へ進み開放記憶２をマイナス１する。いまだ残数として１が残っているため、Ｓ１９の判定ではＳ２１へと進み、Ｓ２１、Ｓ２２から割込みは終了しメインプログラムへ復帰する。以上説明は前回割込みのＳ１１で点灯された扉開放記憶表示器は点灯のまま残っている事を意味する。
【００５７】  扉開放記憶表示器を消灯したい時は、さらなる割込みをさせる為、外部電源をオフにし再度外部電源をオンにする。それにより、Ｓ６、Ｓ７、Ｓ１０、Ｓ１８、Ｓ１９と進ませ開放記憶２をゼロにして、Ｓ２０へ進ませ扉開放記憶表示器を消灯させる。ここで注意を要する事は、外部電源をオフにし、オンにするに当り、扉スイッチ５を閉に、即ち、扉が閉じている状態にしておいて行う必要がある。さもないと、再び記憶を新規に作ることとなる。パチンコ機では外部電源を操作するには、扉を開く必要があるため、無意識に扉スイッチが開になっているため、意識して、扉スイッチを押しながら外部電源のオフ、オンを行う必要がある。
【００５８】  以上、フロ−チャ−トに従い説明したが、本発明は全ての項目を必要とするものではない。例えば、Ｓ１１、Ｓ１４、Ｓ１５、Ｓ１６、Ｓ１７、Ｓ１８、Ｓ１９、Ｓ２０を無くし基本に徹し扉開放記憶表示器機能を削除し、擬似扉スイッチも復帰させず、作動のままにしても良い。
【００５９】  また、Ｓ１１、Ｓ１７、Ｓ１８、Ｓ１９、Ｓ２０を無くし、扉開放記憶表示器の機能は無くするが、擬似扉スイッチは自動的に復帰させても良い。
【００６０】  また、本発明の扉開閉検出器の構成は中継基板に個々の部品を実装する方式は勿論であり、従来の扉スイッチの筐体内に個々の部品を収容し、見掛けの上では端子の数が２本から３本に変わっただけの従来の扉スイッチと同様にできる事を述べる。
この事は、外部電源の入った昼間監視と外部電源の入っていない夜間監視の双方の仕事を行える小型で安価な扉開閉検出器の構成を示している。以上、パチンコ機を事例に説明したが、電源がオフした状態での扉が開かれた事を、電源がオンした時に知らせて有効な例は他にも多くあり、多いに有用である。
【図面の簡単な説明】
【００６１】
【図１】  本発明の背景である、従来の扉開閉警報器の構成を示す説明図。
【図２】  本発明の扉開閉検出器の第一実施例を示す説明図。
【図３】  本発明の扉開閉検出器の第二実施例を示す説明図。
【図４】  本発明の扉開閉検出器の第三実施例を示す説明図。
【図５】  本発明の動作を説明するフロ−チャ−ト図。
【符号の説明】
【００６２】１…………………………外部電源
２…………………………中継基板
３…………………………コネクタ−
４…………………………コネクタ−
５…………………………扉スイッチ
６…………………………警報基板
７…………………………抵抗
８…………………………基準電位点
９…………………………コンパレ−タ−
１０………………………処理器
１１………………………表示器
１２………………………音声出力器
１３………………………中継基板削除時ライン
１４………………………警報基板
１５………………………ホトカプラ−
１６………………………抵抗
１７………………………扉スイッチ
１８………………………コネクタ−
１９………………………ダイオ−ド
２０………………………電源ＩＣ
２１………………………コンデンサ−
２２………………………逆流防止ダイオ−ド
２３………………………コンデンサ−（内部電源）
２４………………………マイクロコンピュ−タ−（記憶素子）
２５………………………発振子
２６………………………コンデンサ−
２７………………………リレ−（擬似扉スイッチ）
２８………………………抵抗
２９………………………緑ＬＥＤ
３０………………………トランジスタ−
３１………………………抵抗
３２………………………抵抗
３３………………………トランジスタ−
３４………………………抵抗
３５………………………抵抗
３６………………………赤ＬＥＤ（扉開放記憶表示器）
３７………………………抵抗
３８………………………抵抗
３９………………………抵抗
４０………………………ダイオ−ド
４１………………………ホトカプラ−（擬似扉スイッチ）
４２………………………逆流防止ダイオ−ド
４３………………………インバ−タ−
４４………………………アンド回路
４５………………………抵抗
４６………………………コンデンサ−
４７………………………フリップフロップ（記憶素子）
４８………………………インバ−タ−
４９………………………アンド回路
５０………………………カウンタ−
５１………………………発振器
５２………………………アンド回路
５３………………………トランジスタ−（擬似扉スイッチ）
５４………………………抵抗
５５………………………抵抗
【図１】
2008068045.tif 000003
【図２】
2008068045.tif 000004
【図３】
2008068045.tif 000005
【図４】
2008068045.tif 000006
【図５】
2008068045.tif 000007